(57)【要約】【課題】液封式安全器の管理コストを安くできるようにする。【解決手段】液面３上方に空間４を残して充填液５を充填してある密封タンク２に、ガス導管から分岐した分岐管６を、その分岐管出口１１が充填液中に開口するように接続し、液面３上方の空間をタンク外側に連通するガス放出管８を接続してある液封式安全器であって、補充用充填液１４を密封状態で貯留可能な保形性を備えた貯留タンク１５を、密封タンクの外側上方に設け、貯留タンクの底部に連通接続した充填液の補充管１６を、その吐出口２２が密封タンク内の充填液中でその液面３近くに開口するように設けてある。【選択図】        図２
2004308986.tif 000002
【特許請求の範囲】
【請求項１】
液面上方に空間を残して充填液を充填してある密封タンクに、ガス導管から分岐した分岐管を、その分岐管出口が前記充填液中に開口するように接続し、前記空間をタンク外側に連通するガス放出管を接続してある液封式安全器であって、
補充用充填液を密封状態で貯留可能な保形性を備えた貯留タンクを、前記密封タンクの外側上方に設け、
前記貯留タンクの底部に連通接続した充填液の補充管を、その吐出口が前記密封タンク内の充填液中でその液面近くに開口するように設けてある液封式安全器。
【請求項２】
前記補充管を開閉自在なバルブを設けるとともに、前記貯留タンクの上部を開閉自在に設けて、前記補充管を閉じた状態で前記貯留タンクの上部を開放して、前記補充用充填液を前記貯留タンクに補給可能に設け、
前記貯留タンクの内側上部に空間が残るように、前記補充用充填液の最大補給レベルを指示可能な指標を設けてある請求項１記載の液封式安全器。
【請求項３】
前記貯留タンクの貯留容量と前記補充管の管内容積との合計が、前記密封タンク内の液面上方の空間容積よりも小さくなるように設けてある請求項１又は２記載の液封式安全器。
【請求項４】
前記密封タンク内に、前記充填液の波立ちを防止可能な多孔板を液面に沿わせて設けてある請求項１〜３のいずれか１項記載の液封式安全器。
【発明の詳細な説明】
【０００１】
【発明の属する技術分野】
本発明は、液面上方に空間を残して充填液を充填してある密封タンクに、ガス導管から分岐した分岐管を、その分岐管出口が前記充填液中に開口するように接続し、前記空間をタンク外側に連通するガス放出管を接続してある液封式安全器に関する。
【０００２】
【従来の技術】
上記液封式安全器は、ガス導管から分岐管に導入したガスの圧力が、分岐管出口の液面下への入り込み深さに応じて設定される設定圧力を越えると、ガス導管内のガスを分岐管を通して密封タンク内に噴出させるとともに、ガス放出管を通してタンク外側に放出して、ガス圧力を設定圧力に維持できるようにしたものであるが、充填液が蒸発などで減少してその液面高さが低くなると、分岐管出口の液面下に入り込んでいる深さが浅くなるので、設定圧力を越えていない低い圧力でもガスが密封タンク内に噴出してしまう問題があり、従来、充填液の液面高さが設定圧力に対応する高さよりも低くなると、その都度、設定圧力に対応する液面高さになるように充填液を補充している（  例えば、特許文献１参照）  。
【０００３】
【特許文献１】
特開２００２−１４７７４１号公報
【０００４】
【発明が解決しようとする課題】
このため、充填液の液面高さを頻繁に点検する必要があり、液封式安全器の管理コストが高くつく欠点がある。
本発明は上記実情に鑑みてなされたものであって、液封式安全器の管理コストを安くできるようにすることを目的とする。
【０００５】
【課題を解決するための手段】
請求項１記載の発明の特徴構成は、液面上方に空間を残して充填液を充填してある密封タンクに、ガス導管から分岐した分岐管を、その分岐管出口が前記充填液中に開口するように接続し、前記空間をタンク外側に連通するガス放出管を接続してある液封式安全器であって、補充用充填液を密封状態で貯留可能な保形性を備えた貯留タンクを、前記密封タンクの外側上方に設け、前記貯留タンクの底部に連通接続した充填液の補充管を、その吐出口が前記密封タンク内の充填液中でその液面近くに開口するように設けてある点にある。
【０００６】
〔作用及び効果〕
保形性を備えた貯留タンクを密封タンクの外側上方に設け、その貯留タンクの底部に連通接続した充填液の補充管を、その吐出口が密封タンク内の充填液中でその液面近くに開口するように設けてあるので、補充用充填液を貯留タンク内に密封状態で貯留しておけば、充填液の液面高さが設定圧力に対応する高さよりも低くなって、液面上方の空気などの気体が、吐出口を通して補充管に流入すると、その流入分に応じた量の補充用充填液が吐出口から密封タンク内に吐出され、その結果、充填液の液面高さが上昇して吐出口が充填液中に入り込んで、液面上方の気体が吐出口を通して補充管に流入しなくなると、補充用充填液の吐出口からの吐出も停止して、充填液の液面高さが設定圧力に対応する高さに維持される。
従って、補充用充填液を貯留タンク内に密封状態で貯留しておけば、密封タンク内の充填液の液面高さを設定圧力に対応する高さに維持することができるので、液封式安全器の管理コストを安くすることができる。
【０００７】
請求項２記載の発明の特徴構成は、前記補充管を開閉自在なバルブを設けるとともに、前記貯留タンクの上部を開閉自在に設けて、前記補充管を閉じた状態で前記貯留タンクの上部を開放して、前記補充用充填液を前記貯留タンクに補給可能に設け、前記貯留タンクの内側上部に空間が残るように、前記補充用充填液の最大補給レベルを指示可能な指標を設けてある点にある。
【０００８】
〔作用及び効果〕
補充管を開閉自在なバルブを設けるとともに、貯留タンクの上部を開閉自在に設けて、補充管を閉じた状態で貯留タンクの上部を開放して、補充用充填液を貯留タンクに補給可能に設けてあるので、バルブの操作で補充管を閉じておいて、貯留タンクの上部から補充用充填液を補給した後は、貯留タンクの上部を閉じて、バルブの操作で補充管を開いておくことにより、補充用充填液を貯留タンク内に密封状態で簡便に貯留できる。
その上、貯留タンクの内側上部に空間が残るように、補充用充填液の最大補給レベルを指示可能な指標を設けてあるので、その指標に合わせた最大補給レベルになるように補充用充填液を貯留タンクに補給しておけば、内径が小さい補充管を貯留タンクの底部に連通接続してあっても、補給後の最初に充填液の液面高さが設定圧力に対応する高さよりも低くなったときに、液面高さが設定圧力に対応する高さに戻るように、補充用充填液をタイミング良く吐出させることができる。
つまり、内径が小さい補充管を底部に連通接続してある貯留タンクに、その内側上部に空間を残すことなく補充用充填液を補給して、密封状態で貯留してある場合は、補給後の最初に充填液の液面高さが設定圧力に対応する高さよりも低くなって、吐出口が液面から離れても、補充管内の補充用充填液は、密封タンクの液面上方の気体が吐出口を通して補充管に流入しなければ、補充用充填液が吐出口から吐出されにくい。
ところが、内径が小さい補充管を底部に連通接続してある貯留タンクに、その内側上部に空間が残るように補充用充填液を補給して、密封状態で貯留してあると、補給後の最初に充填液の液面高さが設定圧力に対応する高さよりも低くなって、吐出口が液面から離れるに伴って、貯留タンク内の補充用充填液が、その自重で貯留タンクの内側上部に残っている空間内の気体を引っ張りながら、補充管内に入り込もうとし、その結果、補充管内の補充用充填液が吐出口から押し出され、その流下をきっかけにして、タイミング良く吐出され易いからである。
【０００９】
請求項３記載の発明の特徴構成は、前記貯留タンクの貯留容量と前記補充管の管内容積との合計が、前記密封タンク内の液面上方の空間容積よりも小さくなるように設けてある点にある。
【００１０】
〔作用及び効果〕
貯留タンクの貯留容量と補充管の管内容積との合計が、密封タンク内の液面上方の空間容積よりも小さくなるように設けてあるので、仮に貯留タンクの上部から空気が流入して、補充用充填液を密封状態で貯留できなくなり、その結果、貯留タンク内および補充管内の補充用充填液の全量が密封タンク内に流入しても、充填液がガス放出管などを通してタンク外側に流出するおそれがない。
【００１１】
請求項４記載の発明の特徴構成は、前記密封タンク内に、前記充填液の波立ちを防止可能な多孔板を液面に沿わせて設けてある点にある。
【００１２】
〔作用及び効果〕
ガス導管から分岐管に導入したガスの圧力が、分岐管出口の液面下への入り込み深さに応じて設定される設定圧力を越えると、ガス導管内のガスが分岐管を通して密封タンク内の充填液中に噴出するので、その噴出時に、充填液が攪拌されて波立ち、液面高さが上下に変動する。
このため、液面高さが設定圧力に対応する高さよりも低くなる都度、密封タンクの空間内の気体が吐出口を通して補充管に流入して、その流入分に応じた量の補充用充填液が吐出口から密封タンク内に吐出され、その結果、補充用充填液が過剰に補給されて、液面の波打ちが収まった状態で、液面高さが設定圧力に対応する高さよりも高くなり、ガス圧力を設定圧力に維持できなくなるおそれがある。
そこで、請求項４記載の発明は、ガスの噴出時の充填液の波立ちを防止して、液面高さの上下変動を抑制できるように、密封タンク内に、充填液の波立ちを防止可能な多孔板を液面に沿わせて設けてあるので、補充用充填液が過剰に補給されるおそれが少なくなり、ガス圧力を設定圧力に維持し易い。
また、多孔板を充填液に浮かせておくなどにより、充填液の液面を覆うように多孔板を設けておけば、充填液の蒸発を抑制して補充用充填液の密封タンクへの補充量を減少でき、補充用充填液の貯留タンクへの補給回数も少なくすることができる。
【００１３】
【発明の実施の形態】
以下に本発明の実施の形態を図面に基づいて説明する。
〔第１実施形態〕
図１は、ガバナ建物Ｃ内に設置してある既設水封式安全器Ｂを示し、液面計１付きの縦長円筒状の密封タンク２に、液面３上方に空間４を残して水などの充填液５を充填するとともに、ガス導管から分岐した分岐管６と、脱臭用の活性炭筒７を設けてあるガス放出管８とを接続し、ガス放出管８はガバナ建物Ｃの外側に開口させてある。
【００１４】
前記分岐管６とガス放出管８は、図４に示すように、密封タンク２の上部を形成している円板状の上部壁体９に直径方向に対向させて接続してあり、充填液５の補給用開口部１０を、分岐管６からもガス放出管８からも離れた、タンク周方向の略中間位置で開口するように上部壁体９に設けてある。
【００１５】
そして、分岐管６は、その分岐管出口１１が充填液５中に開口するように設け、ガス放出管８は、密封タンク２内の上部に開口するように設けて、液面３上方の空間４をタンク外側に連通させ、補給用開口部１０に形成した雄ネジ部１２に、キャップ１３を着脱自在にねじ込み固定してある。
【００１６】
図２，図３は、上記既設水封式安全器Ｂの補給用開口部１０を利用して、補充用充填液１４を貯留する貯留タンク１５を、充填液５の補充管１６を介して、密封タンク２に接続してある本発明による水封式安全器（  液封式安全器）  Ａを示す。
【００１７】
つまり、補充用充填液１４を密封状態で貯留可能な保形性を備えた縦長円筒状の貯留タンク１５を支持アーム１７に固定して、その貯留タンク１５を密封タンク２の略直上の外側上方に設けるとともに、補充管１６を、その補充管１６を開閉自在なボールバルブ１８を介して、貯留タンク１５の底部に略鉛直に連通接続し、その補充管１６を上部壁体９の補給用開口部１０に通して密封タンク２に接続してある。
【００１８】
前記補充管１６は、金属管や硬質樹脂管などで形成した内径が比較的小径の硬質直管で構成してあり、図５に示すように、補給用開口部１０に形成してある雄ネジ部１２にワッシャ１９を挟んで、キャップ１３に代えて、カップリング金具２０をねじ込み固定し、そのカップリング金具２０に補充管１６を挿通して、カップリング金具２０に径方向から螺合してあるビス２１で、その吐出口２２が密封タンク２内の充填液５中でその液面３近くに開口するように固定してある。
【００１９】
前記貯留タンク１５は、透明又は半透明のアクリル樹脂などの硬質樹脂で形成して、保形性を備えさせるとともに、内部の補充用充填液１４の液面２３を外部から確認できるようにしてあり、タンク周壁に金属製帯板２４を抜け止め状態で取り付けて、その帯板２４を挟んで装着したＵボルト等の固定金具２５で支持アーム１７に固定してある。
【００２０】
そして、貯留タンク１５の上部に補充用充填液１４の補給口２６を形成し、その補給口２６に着脱自在にねじ込み装着したキャップ２７で貯留タンク１５を密封して、貯留タンク１５の上部を開閉自在に設け、バルブ１８の操作で補充管１６を閉じた状態でキャップ２７を外して貯留タンク１５の上部を開放して、補充用充填液１４を補給口２６から貯留タンク１５に補給可能に設け、貯留タンク１５の内側上部に空間２８が残るように、補充用充填液１４の最大補給レベルを指示可能な指標２９をタンク周面に設けてある。
【００２１】
前記貯留タンク１５と補充管１６は、貯留タンク１５の貯留容量と補充管１６の管内容積との合計が、密封タンク２内の液面３上方の空間容積よりも小さくなるように設けてあり、密封タンク２内に充填液５の波立ちを防止可能な厚み方向に貫通する多数の小孔３０を形成してある多孔板３１を充填液５に浮かせて、その多孔板３１を液面３に沿わせて設けてある。
【００２２】
〔第２実施形態〕
図６は、貯留タンク１５を密封タンク２の直上から径方向外方に離れた外側上方に設けてある実施形態を示し、貯留タンク１５と密封タンク２とを、バルブ１８を介して、蛇腹管からなる補充管１６で接続して、密封タンク２の上部に障害物があっても貯留タンク１５を容易に設置できるようにしてある。
【００２３】
前記蛇腹管からなる補充管１６は、大きく傾斜させた状態で貯留タンク１５と密封タンク２とに接続すると、液面３上方の空気等の気体が吐出口２２から流入しても、その管内に滞留して貯留タンク１５からの補充用充填液１４の流下を妨げるおそれがあるので、水平に対して４５度以上の角度θで傾斜させて接続してある。
その他の構成は第１実施形態と同様である。
【００２４】
〔その他の実施形態〕
１．本発明による液封式安全器は、液面が蒸発防止用の不揮発性油層で形成される充填液を密封タンクに充填してあっても良い。
２．本発明による液封式安全器は、液面計付きの金属製の貯留タンクを設けて構成してあっても良い。
３．本発明による液封式安全器は、充填液の波立ちを防止可能な多孔板を密封タンク側に固定して、密封タンク内に多孔板を液面に沿わせて設けてあっても良い。
【図面の簡単な説明】
【図１】既設の液封式安全器の一部断面側面図
【図２】本発明による液封式安全器の一部断面側面図
【図３】要部の側面図
【図４】要部の平面図
【図５】要部の一部断面側面図
【図６】第２実施形態を示す液封式安全器の一部断面側面図
【符号の説明】
２    密封タンク
３    液面
４    空間
５    充填液
６    分岐管
８    ガス放出管
１１  分岐管出口
１４  補充用充填液
１５  貯留タンク
１６  補充管
１８  バルブ
２２  吐出口
２８  空間
２９  指標
３１  多孔板
【図１】
2004308986.tif 000003
【図２】
2004308986.tif 000004
【図３】
2004308986.tif 000005
【図４】
2004308986.tif 000006
【図５】
2004308986.tif 000007
【図６】
2004308986.tif 000008